(57)【要約】【課題】製造コストを抑制しつつも、品質の優れた遊技機における装飾装置を提供する。【解決手段】遊技盤に配設される遊技機における装飾装置において、光源４と、光透過性樹脂材で形成されるとともに、光源４を覆う装飾カバー部材６と、装飾カバー部材６と別体であって、光透過性樹脂材により形成されるとともに、装飾カバー部材６と光源４との間に介装され、かつ前記光源４の光を拡散する光拡散部７２が形成された光拡散部材７とを有する。【選択図】        図５
2004194963.tif 000002
【特許請求の範囲】
【請求項１】
遊技盤に配設される遊技機における装飾装置において、
光源と、光透過性樹脂材で形成されるとともに、前記光源を覆う装飾カバー部材と、該装飾カバー部材と別体であって、光透過性樹脂材により形成されるとともに、前記装飾カバー部材と光源との間に介装され、かつ前記光源の光を拡散する光拡散部が形成された光拡散部材とを有することを特徴とする遊技機における装飾装置。
【請求項２】
前記装飾カバー部材の表面を、曲面形状としたことを特徴とする請求項１記載の遊技機における装飾装置。
【請求項３】
前記装飾カバー部材の表面を、多面形状としたことを特徴とする請求項１記載の遊技機における装飾装置。
【請求項４】
前記光拡散部材を平板状とするとともに、前記光拡散部をダイヤカット加工により形成したことを特徴とする請求項１〜３のいずれかに記載の遊技機における装飾装置。
【請求項５】
前記光源は、遊技状況に応じて、点灯態様が異なるようにして点灯することを特徴とする請求項１〜４のいずれかに記載の遊技機における装飾装置。
【発明の詳細な説明】
【０００１】
【発明の属する技術分野】
本発明は、遊技盤面に配設される遊技機における装飾装置に関する。
【０００２】
【従来の技術】
例えば、パチンコ機のような遊技機において、遊技盤の中央部に配置された複数列(例えば３列)の図柄から構成される識別情報を変動表示可能な表示装置を備え、所定の確率に基づいて、表示装置に表示された各識別情報が、特賞図柄として、予め定められた表示態様(例えば「１、１、１」)が成立した場合に、特賞状態を生起させているものなど多種多様に存在している。
【０００３】
このような遊技機においては、表示装置以外にも、装飾カバーにランプやＬＥＤを内蔵した装飾装置を遊技盤面に配設し、ランプやＬＥＤが点灯あるいは点滅することにより、装飾カバーの内面側にダイヤカット加工により形成された光拡散部により光拡散効果を高めるようにしたものがある。(例えば、特許文献１、２参照)
【０００４】
【特許文献１】
特開２００１―９５９８７号公報
【特許文献２】
実開昭６２―１７００７９号公報
【０００５】
【発明が解決しようとする課題】
しかしながら、上記の特許文献１及び２に記載されたような従来技術においては、平板状の装飾カバーにダイヤカット加工を施しているため、ダイヤカット加工を比較的簡単に施すことができる反面、装飾カバーが平板状であるため、装飾装置全体の意匠が単調で変化に乏しく、装飾効果を十分に発揮できないものとなってしまう。
【０００６】
装飾効果を上げるために、装飾カバーの表面を曲面状にして、装飾装置の意匠が変化に富むようにすることも考えられる。しかし、曲面状の装飾カバーにダイヤカット加工を施すことは、金型の構成上、非常に高度な技術が要求されるとともに、加工コストも増大してしまう。
【０００７】
すなわち、図７に示すように、曲面形状の装飾カバー(Ａ)にダイヤカット加工により光拡散部(Ｂ)を施した場合、ダイヤカット加工の各ピッチ(ａ)(ｂ)(ｃ)が異なり（各ピッチの関係は、(ａ)＜(ｂ)＜(ｃ)となる）、各ダイヤカットの形状を均一に保つことが困難となり、理想的な光拡散作用を得ることができず、遊技機の品質の低下を招くこととなる。
【０００８】
本発明は、上述のような従来の課題を解決するためになされたもので、その目的は、製造コストを抑制しつつも、品質の優れた遊技機における装飾装置を提供することにある。
【０００９】
【課題を解決するための手段】
本発明によると、上記課題は、次のようにして解決される。
（１）遊技盤に配設される遊技機における装飾装置において、光源と、光透過性樹脂材で形成されるとともに、前記光源を覆う装飾カバー部材と、該装飾カバー部材と別体であって、光透過性樹脂材により形成されるとともに、前記装飾カバー部材と光源との間に介装され、かつ前記光源の光を拡散する光拡散部が形成された光拡散部材とを有する。
【００１０】
（２）上記(１)項において、前記装飾カバー部材の表面を、曲面形状とする。
【００１１】
（３）上記(１)項において、前記装飾カバー部材の表面を、多面形状とする。
【００１２】
（４）上記(１)〜(３)項のいずれかにおいて、前記光拡散部材を平板状とするとともに、前記光拡散部をダイヤカット加工により形成する。
【００１３】
（５）上記(１)〜(４)項のいずれかにおいて、前記光源は、遊技状況に応じて、点灯態様が異なるようにして点灯する。
【発明の実施の形態】
以下、本発明の一実施形態を、図面に基づいて説明する。
図１は、本発明の一実施形態における遊技機の一部分を構成する装飾装置(１)を配設した遊技盤(10)の正面図である。
【００１４】
遊技盤(10)は、外側ガイドレール(11)と内側ガイドレール(12)とによって包囲された円形状の遊技領域(13)を備え、遊技者の操作により、図外の発射装置から発射された遊技球が、遊技領域(13)を転動することにより、遊技が行われる。
【００１５】
なお、遊技領域(13)には、遊技釘が多数配置され、遊技球は、遊技釘に当接しながら下方に転動することになるが、該遊技釘は、図面簡素化のため省略してある。
【００１６】
遊技領域(13)の中央部には、液晶からなる特別図柄表示装置（表示装置）(14)が配置されている。特別図柄表示装置(14)は、適宜のキャラクタに対して「０」〜「９」の数字で構成される１０種類の左、中、右３列の特別図柄（識別情報）等を表示可能に構成されている。
【００１７】
所定の確率に基づいて、確定表示された各特別図柄が、予め定められた表示態様、例えば「４、４、４」のように同一の数字が揃った場合に、特賞状態を生起させ、後述の変動入賞装置(16)を、遊技者にとって有利な状態に変動させ、遊技者に所定の遊技価値を付与するようになっている。
【００１８】
また、特別図柄表示装置(14)に確定表示された各特別図柄が、「７、７、７」のように奇数で表示された場合には、さらに特賞状態が生起される確率を、特賞状態が所定回数（例えば１回）生起するまで向上させるようにしてある。
【００１９】
特賞状態の確率向上期間中に、特別図柄表示装置(14)に確定表示された各特別図柄が、再び「３、３、３」のように奇数で表示された場合には、さらに確率向上期間は延長される。
【００２０】
特別図柄表示装置(14)の下方には、特別図柄始動口(15)が配置されている。遊技球が特別図柄始動口(15)に入賞すると、所定の確率に基づいて、特賞状態を生起するか否かが判定され、その判定の結果をもって、特別図柄表示装置(14)の特別図柄を変動させ、その後に所定の図柄を確定表示させる。
【００２１】
遊技領域(13)の左右両側には、円弧状の内側ガイドレール(12)の内側に沿うように弓形状に形成された装飾装置(１)が配置されている。
【００２２】
遊技領域(13)の下方には、変動入賞装置(16)が配置されている。変動入賞装置(16)は、特賞状態期間中に広幅の扉が前面側に開放され、遊技球が入賞可能な状態となる大入賞口(17)を備えている。
【００２３】
大入賞口(17)の扉が開放されている状態や、開閉を繰り返している状態で、遊技球が入賞可能な状態を、遊技者にとって有利な第１状態という。この第１状態以外の状態、つまり大入賞口(17)の扉が閉鎖されている状態により、遊技球が入賞不可能な状態を、遊技者にとって不利な第２状態という。
【００２４】
遊技領域(13)には、さらに、遊技釘とともに遊技球の転動方向を変化させるランプ付き風車(18)、遊技球を遊技盤(10)の裏面に送るアウト口(19)等が配置されている。なお、図外の発射装置や賞球排出装置は、実施形態の簡素化のため、ここでは省略する。
【００２５】
図２は、装飾装置(１)の正面図、図３は、装飾装置(１)の側面図、図４は、装飾装置(１)の分解斜視図、図５は、図２におけるＶ―Ｖ線に沿う横断面図、図６は、図５における矢示ＶI部の拡大図である。なお、左右の装飾装置(１)は左右対称形状で、かつ機能及び性能は同一であるので、ここでは左側の装飾装置(１)についてのみ説明し、右側の装飾装置(１)については省略する。
【００２６】
装飾装置(１)は、遊技盤(10)に固定される取付ベース部材(２)と、取付ベース部材(２)に固定される光源基板(３)と、光源基板(３)に組み付けられた複数の光源(４)と、光源(４)の前方を覆うように取付ベース部材(２)に固定される装飾カバー部材(５)と、装飾カバー部材(５)の外周面の一部を覆う装飾枠部材(６)と、装飾カバー部材(５)と別体に形成され、かつ光源(４)と装飾カバー部材(６)との間に設けられる光拡散部材(７)とを有している。
【００２７】
取付ベース部材(２)は、上下２ヶ所に設けられた取付孔(８)(８)に図示しないビスを挿入して遊技盤(１)に締結することにより、遊技盤(10)の盤面と略同一平面上になるように遊技盤(10)に固定される。
【００２８】
取付ベース部材(２)には、複数の光源(４)を収納するためのランプ収容部(21)が設けられている。取付ベース部材(２)におけるランプ収容部(21)の上方及び下方には、前方、すなわち光拡散部材(７)側に向けて突出する突起部(22)(22)が設けられている。各突起部(22)の近傍には、上下の取付孔(23)が穿設されている。
【００２９】
光源(４)は、複数(５個)のＬＥＤから形成され、図示しない制御装置からの制御信号によって遊技状況に応じた点灯態様を行うように構成されている。例えば、遊技者にとって有利な第１状態や遊技者にとって不利な第２状態、または特別図柄表示装置(14)によって図柄が変動している最中、さらには特賞状態が生起される確率が向上している状態のとき、それぞれの状態に応じた所定の点灯態様で点灯表示する。各点灯態様は、それぞれ異なる態様で点灯表示を行うものであって、これにより、遊技者は、現在の遊技状況を容易に把握することができ、利便性の向上を図ることができる。
【００３０】
光源(４)が組み付けられた光源基板(３)は、図示しない制御装置と配線接続され、配線を介して制御装置からの制御信号が入力されることにより、光源(４)を所定の点灯態様にて点灯表示させる。なお、光源基板(３)は、取付ベース部材(２)に固定されるものであるが、これに代えて遊技盤(10)に直接固定しても良い。さらには、遊技盤(10)を使用することなく、光源(３)を遊技盤(10)に直接組み付けても良い。
【００３１】
装飾カバー部材(５)は、光透過性の合成樹脂材により形成され、かつ内側に設けられた光源(４)や光拡散部材(７)を覆うとともに、光拡散部材(７)を透過した光源(４)の光を、遊技者に対して視認可能にしている。
【００３２】
装飾カバー部材(５)の形状は、主に図５に示すように、横断面が曲面形状(半円筒形状)をなしている。装飾カバー部材(５)は、上下に穿設された取付孔(51)を、取付ベース部材(２)の取付孔(23)に合致させた状態で、図示しないビスにより取付ベース部材(２)に固定される。なお、本実施形態における装飾カバー部材(５)には、光拡散効果のある加工は一切施されていない。
【００３３】
装飾枠部材(６)は、合成樹脂材により形成されるとともに、表面が銀鏡加工されており、主に装飾カバー部材(５)の外周面の一部を包囲して、転動する遊技球が装飾カバー部材(５)に当接して、装飾カバー部材(５)が破損することを防止するとともに、意匠性を向上させるためのものである。
【００３４】
また、図示しないが、装飾枠部材(６)の裏面側には、装飾カバー部材(５)を嵌合させて組み付けられるように凹部が設けられている。なお、装飾枠部材(６)は、必ずしも必要とするものでなく、装飾枠部材(６)を設けることなく、装飾装置(１)を構成してもよい。
【００３５】
光拡散部材(７)は、光透過性の合成樹脂材により平板状に形成されるとともに、光源(４)と装飾カバー部材(６)との間に介装されることにより、光源(４)が発する光を透過させて、装飾カバー部材(５)を透して遊技者に対して光の視認を可能にしている。
【００３６】
光拡散部材(７)は、図６に示すように、光源(３)に対向する内側面に、多数のピラミッド状の凸部が形成されるダイヤカット加工により凹凸状の光拡散部(72)が形成されており、この光拡散部(72)により、光源(３)が発する光を多方面に拡散して、装飾効果が優れたものとなるような工夫がなされている。
【００３７】
また、光拡散部材(７)は、上下部に設けられた２個の挿入孔(71)を、取付ベース部材(２)の突起部(22)に嵌合させることにより、取付ベース部材(２)に固定される。なお、光拡散部材(７)の光拡散部(72)は、ダイヤカット加工を施した形状に限られず、光拡散効果を備える形状であれば、どのような形状でも構わない。
【００３８】
上述のように、装飾装置(１)は、遊技盤(10)に取り付けられる光源(４)と、光透過性樹脂材で形成されるとともに、光源(４)を覆う装飾カバー部材(５)と、装飾カバー部材(５)と別体であって、光透過性樹脂材により形成されるとともに、装飾カバー部材(５)と光源(４)との間に介装され、かつ光源(４)の光を拡散する凹凸状の光拡散部(72)が形成された光拡散部材(７)とを有している。
【００３９】
以上のように本実施形態においては、光拡散部材(７)を、取付ベース部材(２)や装飾カバー部材(５)や装飾枠部材(６)と独立して設けることで、光拡散部材(７)を異なる遊技機においても利用可能となる。すなわち、異なる意匠の装飾装置(１)に対しても、サイズが同様であれば、共用が可能となり、製造コストの低減を図ることができる。なお、装飾装置(１)の組付けの構成は、上記の構成に特定されるものでなく、各部材をビスを使用しないで、各部材間の嵌合により固定する構成でもよい。
【００４０】
光拡散部材(７)を、装飾カバー部材(５)と別体とし、かつ平板状としたことにより、曲面形状の部材にダイヤカット加工等を施した場合のように、各ダイヤカットの形状の均一性を保つことができなかったり、理想的な光拡散効果を望めなかったり、非常に高度な加工を必要としたりすること等がなくなるため、簡単に理想的な光拡散作用を得ることができ、品質の向上を図ることができるとともに、加工コストの低減を図ることができる。
【００４１】
また、光拡散部材(７)が、装飾カバー部材(５)により覆われているので、遊技球の当接による光拡散部材(７)の損傷または変形を防止して、理想的な光拡散作用を長期に亘って得ることができる。
【００４２】
加えて、装飾カバー部材(５)及び光拡散部材(７)とをそれぞれ独立して取付ベース部材(２)に組み付け、かつ光拡散部材(７)を取付ベース部材(２)にビスを使用せずに嵌合だけで固定するようにしたので、各部材の着脱が容易であり、光拡散部材(７)を介装させない装飾装置(１)も簡単に形成することができる。
【００４３】
以上、本発明の一実施形態について説明したが、本発明の要旨を逸脱しない範囲内で、上記実施形態に種々の変形や変更を施すことが可能である。
例えば、装飾装置(１)を遊技領域(13)の中央部や下部等に配置すること、装飾カバー部材(５)を凹凸を設けた形状にしたり、後部に光源(３)が位置する略中央を頂点に上下または左右を斜めに切り落としたような多面体の形状にしたりすること、光源(３)をランプやＥＬ等に変更すること、装飾装置(１)に遊技球が入球可能な入賞口を設けること、光源(３)を遊技盤(10)の中央方向に向けて傾斜して配置させること等が挙げられる。
【００４４】
また、複数列の図柄が予め定められた表示態様となった場合に、大入賞口(17)が開放する遊技機として説明したが、本発明は、図柄が予め定められた特定表示結果となったことにより、所定の入賞口が開放して（遊技者にとって有利な遊技状態）、開放期間中の所定の入賞口に遊技球が入賞した場合に、特定の入賞装置が開放する契機となる遊技機等に対しても、適用可能である。
【００４５】
【発明の効果】
本発明によれば、次のような効果を奏することができる。
（ａ）請求項１記載の発明によると、光拡散部材を、異なる意匠の装飾装置に対しても、サイズが同様であれば、異なる遊技機間での共用が可能となり、製造コストを抑制しうる。また、光拡散部材が、装飾カバー部材により覆われているので、遊技球の当接による光拡散部材の損傷または変形を防止して、理想的な光拡散作用を長期に亘って得ることができる。
【００４６】
（ｂ）請求項２記載の発明によると、請求項１に係わる発明の効果に加えて、表面が曲面形状の装飾カバー部材に、光拡散効果を備えるように加工を施す必要がないため、加工が簡単になる。また、表面が曲面形状の装飾カバー部材であっても光拡散効果が高まり、装飾性の優れたものとなる。
【００４７】
（ｃ）請求項３記載の発明によると、請求項１に係わる発明の効果に加えて、表面が多面形状の装飾カバー部材に、光拡散効果を備えるように加工を施す必要がないため、加工が簡単になる。また、表面が多面形状の装飾カバー部材であっても光拡散効果が高まり、装飾性の優れたものとなる。
【００４８】
（ｄ）請求項４記載の発明によると、請求項１〜３のいずれかに係わる発明の効果に加えて、光拡散部材が平板状であるため、ダイヤカット加工を施すことが簡単かつ正確に行える。
【００４９】
（ｅ）請求項５記載の発明によると、請求項１〜４のいずれかに係わる発明の効果に加えて、現在の遊技状況を可能に把握でき、利便性に富む。
【図面の簡単な説明】
【図１】本発明における一実施形態を適用した遊技機の一部分を構成する遊技盤の正面図である。
【図２】同じく、装飾装置の正面図である。
【図３】同じく、装飾装置の側面図である。
【図４】同じく、装飾装置の分解斜視図である。
【図５】図２におけるＶ―Ｖ線に沿う横断面図である。
【図６】図５における矢示ＶI部の拡大図である。
【図７】従来例による曲面形状の表示カバー部材にダイヤカット加工を施した場合の要部の拡大断面図である。
【符号の説明】
(１)装飾装置
(２)取付ベース部材
(３)光源基板
(４)光源
(５)装飾カバー部材
(６)装飾枠部材
(７)光拡散部材
(８)取付孔
(10)遊技盤
(11)外側ガイドレール
(12)内側ガイドレール
(13)遊技領域
(14)特別図柄表示装置
(15)特別図柄始動口
(16)変動入賞装置
(17)大入賞口
(18)ランプ付き風車
(19)アウト口
(21)ランプ収容部
(22)突起部
(23)(51)取付孔
(71)挿入孔
(72)光拡散部
【図１】
2004194963.tif 000003
【図２】
2004194963.tif 000004
【図３】
2004194963.tif 000005
【図４】
2004194963.tif 000006
【図５】
2004194963.tif 000007
【図６】
2004194963.tif 000008
【図７】
2004194963.tif 000009